(57)【要約】【課題】エスカレータの移動手摺りに固定具を容易かつ確実に固定する。【解決手段】エスカレータの移動手摺りの駆動力測定装置２０は、移動手摺り６上に装着される固定具１Ａと、固定具１Ａに連結された駆動力測定器４とを備えている。固定具１Ａは操作レバー２を有する吸盤ボックス７と、吸盤ボックス７に取付けられ、移動手摺り６の表面に吸着される吸盤１とを有する。【選択図】図１
2015044669.tif 000002
【特許請求の範囲】
【請求項１】
循環して移動するエスカレータの移動手摺りの駆動力を測定するエスカレータの移動手摺りの駆動力測定装置において、
移動手摺り上に装着される固定具と、
固定具に連結された駆動力測定器と、
駆動力測定器を保持する保持具とを備え、
固定具は操作レバーを有する吸盤ボックスと、吸盤ボックスに取付けられ、移動手摺り表面に吸着される吸盤とを有することを特徴とするエスカレータの移動手摺りの駆動力測定装置。
【請求項２】
循環して移動するエスカレータの移動手摺りの駆動力を測定するエスカレータの移動手摺りの駆動力測定装置において、
移動手摺り上に装着される固定具と、
固定具に連結された駆動力測定器と、
駆動力測定器を保持する保持具とを備え、
固定具は移動手摺りを覆って設けられた手摺り挟み治具を有し、この手摺り挟み治具は移動手摺りを開く方向に挟持することを特徴とするエスカレータの移動手摺りの駆動力測定装置。
【発明の詳細な説明】
【技術分野】
【０００１】
本実施の形態は、エスカレータの移動手摺りの駆動力測定装置に係り、とりわけ固定具を移動手摺りに容易かつ確実に固定して、移動手摺りの駆動力を精度良く安全に測定することができるエスカレータの移動手摺りの駆動力測定装置に関する。
【背景技術】
【０００２】
エスカレータの移動手摺りの駆動力を測定する際、従来は駆動力測定器を固定具に連結するとともに、この固定具を移動手摺りに固定することにより、駆動力測定器に表示された移動手摺りの駆動力を確認していた。
【０００３】
固定具を移動手摺りに固定する方法として、固定具をガムテープ等により移動手摺りに固定する方法がある。
【０００４】
あるいは固定具として移動手摺りを一対の把持部により挟持する方法も採用されている。
【先行技術文献】
【特許文献】
【０００５】
【特許文献１】特開平４−３６５７８８
【特許文献２】特開平１１−３５２７０
【発明の概要】
【発明が解決しようとする課題】
【０００６】
上述のように、固定具を移動手摺りに固定する方法としていくつか考えられているが、従来より固定具を移動手摺りに容易かつ確実に固定することができるエスカレータの移動手摺りの駆動力測定装置は未だ開発されていない。
【０００７】
本発明はこのような点を考慮してなされたものであり、固定具を移動手摺りに容易かつ確実に固定することができるエスカレータの移動手摺りの駆動力測定装置を提供することを目的とする。
【課題を解決するための手段】
【０００８】
本発明は、循環して移動するエスカレータの移動手摺りの駆動力を測定するエスカレータの移動手摺りの駆動力測定装置において、移動手摺り上に装着される固定具と、固定具に連結された駆動力測定器と、駆動力測定器を保持する保持具とを備え、固定具は操作レバーを有する吸盤ボックスと、吸盤ボックスに取付けられ、移動手摺り表面に吸着される吸盤とを有することを特徴とするエスカレータの移動手摺りの駆動力測定装置である。
【０００９】
本発明は、循環して移動するエスカレータの移動手摺りの駆動力を測定するエスカレータの移動手摺りの駆動力測定装置において、移動手摺り上に装着される固定具と、固定具に連結された駆動力測定器と、駆動力測定器を保持する保持具とを備え、固定具は移動手摺りを覆って設けられた手摺り挟み治具を有し、この手摺り挟み治具は移動手摺りを開く方向に挟持することを特徴とするエスカレータの移動手摺りの駆動力測定装置である。
【発明の効果】
【００１０】
以上のように本発明によれば、移動手摺りに固定具を容易かつ確実に固定することができ、これにより駆動力測定器により移動手摺りの駆動力を確実に測定することができる。
【図面の簡単な説明】
【００１１】
【図１】図１は本発明の第１の実施の形態による移動手摺りの駆動力測定装置を示す側面図。
【図２】図２は本発明の第１の実施の形態による移動手摺りの駆動力測定装置を示す平面図。
【図３】図３は本発明の第１の実施の形態による保持具と駆動力測定装置を示す斜視図。
【図４】図４は本発明の第１の実施の形態による保持具と駆動力測定装置を示す斜視図。
【図５】図５は本発明の第２の実施の形態による手摺り挟み治具を示す斜視図。
【図６】図６は本発明の第２の実施の形態による手摺り挟み治具を示す斜視図。
【図７】図７は本発明の第２の実施の形態による手摺り挟み治具を示す斜視図。
【図８】図８は本発明の第２の実施の形態による手摺り挟み治具を示す断面図。
【図９】図９は本実施の形態の作用を示すフローチャート。
【図１０】図１０は移動手摺りの駆動力測定装置が組込まれたエスカレータを示す拡大図。
【図１１】図１１は移動手摺りの駆動力測定装置が組込まれたエスカレータを示す概略図。
【発明の実施の形態】
【００１２】
第１の実施の形態
以下、図面を参照して本発明の実施の形態について説明する。
【００１３】
図１乃至図４および図９乃至図１１は、実施の形態によるエスカレータの移動手摺りの駆動力測定装置を示す図である。
【００１４】
まず図１０および図１１によりエスカレータの全体について説明する。図１０および図１１に示すように、エスカレータ２１は循環して移動する移動手摺り６を有している。点検作業時に作業者Ｐはエスカレータ２１が設置された乗り場２１Ａ上に立って、移動手摺り６の駆動力を移動手摺りの駆動力測定装置２０により測定する。
【００１５】
このような移動手摺りの駆動力測定装置２０は、図１乃至図４に示すように、移動手摺り６上に装着されこの移動手摺り６に固定された固定具１Ａと、固定具１Ａに連結された保持具５と、保持具５内に装着され、固定具１Ａが装着された移動手摺り６の駆動力を測定する駆動力測定器４とを備えている。
【００１６】
このうち固定具１Ａは操作レバー２が取付けられた鋼製の吸盤ボックス７と、吸盤ボックス７の下面に取付けられたゴム製の吸盤１とを有し、吸盤ボックス７の操作レバー２を操作することにより、吸盤１を作動モードと非作動モードに切換えることができる。
【００１７】
また吸盤ボックス７には鋼製の取手８が取付けられており、保持具５は吸盤ボックス７の取手８に鋼製のカナビナ３を介して連結されている。
【００１８】
図１乃至図４に示すように、保持具５は鋼製となっており、上方が開放したボックス形状を有し、保持具５の両側面には、外方へ延びる鋼製の一対の保持バー５ａが突出して設けられている。後述のように作業者Ｐは、この一対の保持バー５ａを保持して、保持具５を保持することができる。
【００１９】
次にこのような構成からなる本実施の形態の作用について、図９に示すフローチャートにより説明する。
【００２０】
まず、点検作業開始時に、図１および図２に示すように、移動手摺り６上に、下面に吸盤１が取付けられた吸盤ボックス７を配置する。次に操作レバー２を操作して吸盤１を作動モードとする。このとき、吸盤１と移動手摺り６との間の接触面が真空状態となり、吸盤ボックス７は吸盤１によって移動手摺り６上に固定される。
【００２１】
次に図３に示すように、保持具５内に測定バー４ａを有する駆動力測定器４を取付ける。このとき測定バー４ａは、保持具５の開口５ｂ内を貫通している。その後図４に示すように、保持具５の開口５ｂから外方へ突出する駆動力測定器４の測定バー４ａに、カナビナ３を取付ける。
【００２２】
次にカナビナ３を吸盤ボックス７の取手８に引掛ける。
【００２３】
次に作業者Ｐは保持具５の一対の保持バー５ａ、５ａを把持し、保持具５を引張る。このことにより、移動手摺り６に吸盤１を介して固定された吸盤ボックス７が保持具５により引張られ、移動手摺り６の駆動力が駆動力測定器４により測定されるとともに、この駆動力測定器４に表示される。
【００２４】
作業者Ｐは、駆動力測定器４に表示された移動手摺り６の駆動力を確認する。測定された駆動力が規定値から外れている場合、作業者Ｐは移動手摺り６の駆動機構（図示せず）を調整して、移動手摺り６の駆動力を規定値内に収める。その後作業者Ｐは上述と同様の作業を繰り返して、移動手摺り６の駆動力を再度測定する。
【００２５】
測定された駆動力が規定値内に収まっている場合、操作レバー２を操作して吸盤１を非作動モードとする。このとき吸盤１と移動手摺り６との間の接触面において真空状態が解除され、吸盤ボックス７および吸盤１を移動手摺り６から取外す。
【００２６】
このようにして点検作業を終了させることができる。
【００２７】
以上のように本実施の形態によれば、吸盤１を有する吸盤ボックス７を移動手摺り６に容易かつ確実に固定することができ、このことにより吸盤ボックス７に連結された駆動力測定器４により移動手摺りの駆動力を確実に測定することができる。
【００２８】
第２の実施の形態
次に図５乃至図８により本発明の第２の実施の形態について説明する。図１乃至図４および図９乃至図１１に示す第１の実施の形態において、移動手摺り６に固定される固定具１Ａが操作レバー２が取付けられた吸盤ボックス７と、吸盤ボックス７の下面に設けられた吸盤１とを有する例を示したが、これに限らず固定具１Ａは移動手摺り６を覆って設けられ移動手摺り６を挟持する鋼製の手摺り挟み治具９を有していてもよい。
【００２９】
図５乃至図８に示す第２の実施の形態において、図１乃至図４および図９乃至図１１に示す第１の実施の形態と同一部分には同一符号を付して詳細な説明は省略する。
【００３０】
また図５乃至図８において、手摺り挟み治具９は、駆動力測定器４を内蔵した保持具５に図示しない連結具を介して連結されているが、このような保持具５と手摺り挟み治具９とを連結する連結具としては、カナビナ等が考えられる（図１乃至図４参照）。
【００３１】
図５乃至図８に示すように、一般に移動手摺り６はＴ字状の断面形状をもつ手摺りレール１０に移動自在に装着されており、移動手摺り６は手摺りレール１０に対応してＵ字状の断面形状をもつ。
【００３２】
この場合、手摺り挟み治具９は一対の治具部分９ａ、９ａからなり、各治具部分９ａ、９ａは移動手摺り６を囲むとともに内面にゴムラバー１８ｂが取付けられた円筒部１８と、円筒部１８の上方に設けられた湾曲状フランジ部１９とを有する。
【００３３】
次にこのような構成からなる本実施の形態の作用について説明する。作業点検開始時において、手摺り挟み治具９の各治具部分９ａ、９ａを移動手摺り６の外側に装着し、各治具部分９ａ、９ａのフランジ部１９に設けられた開口１９ａにボルト１１ａとナット１１ｂを装着する。そしてこのボルト１１ａとナット１１ｂを締付けることにより、各治具部分９ａ、９ａの湾曲したフランジ部１９、１９を平坦化する。これに伴なって各治具部分９ａ、９ａの円筒部１８の先端１８ａが移動手摺り６の下端６ａを横方向外方へ拡げて、移動手摺り６を開く。同時に手摺り挟み治具９は移動手摺り６を堅固に挟持することができる。
【００３４】
次に手摺り挟み治具９に連結具を介して駆動力測定器４が内蔵された保持具５を連結する。
【００３５】
その後は、第１の実施の形態と同時に作業者Ｐが保持具５の一対の保持バー５ａ、５ａを把持して保持具５を引張る。このことにより移動手摺り６に固定された手摺り挟み治具９が保持具５により引張られ、移動手摺り６の駆動力が駆動力測定器４により測定されるとともに、この駆動力測定器４に表示される。
【００３６】
以上のように本実施の形態によれば、手摺り挟み治具９により移動手摺り６を堅固に挟持することができる。この際、手摺り挟み治具９により移動手摺り６を開くことができるので、移動手摺り６から手摺りレール１０に負荷をかけることなく、移動手摺り６のみを引張ることができ、移動手摺りの駆動力をより確実に測定することができる。
【符号の説明】
【００３７】
１  吸盤
１Ａ  固定具
２  操作レバー
３  カナビナ
４  駆動力測定器
５  保持具
６  移動手摺り
７  吸盤ボックス
８  取手
９  手摺り挟み治具
１０  手摺りレール
【図１】
2015044669.tif 000003
【図２】
2015044669.tif 000004
【図３】
2015044669.tif 000005
【図４】
2015044669.tif 000006
【図５】
2015044669.tif 000007
【図６】
2015044669.tif 000008
【図７】
2015044669.tif 000009
【図８】
2015044669.tif 000010
【図９】
2015044669.tif 000011
【図１０】
2015044669.tif 000012
【図１１】
2015044669.tif 000013
【手続補正書】
【提出日】平成26年8月20日(2014.8.20)
【手続補正１】
【補正対象書類名】明細書
【補正対象項目名】０００８
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
循環して移動するエスカレータの移動手摺りの駆動力を測定するエスカレータの移動手摺りの駆動力測定装置において、
移動手摺り上に装着される固定具と、
固定具に連結された駆動力測定器と、
駆動力測定器を保持する保持具とを備え、
固定具は移動手摺りを覆って設けられた手摺り挟み治具を有し、この手摺り挟み治具は移動手摺りを開く方向に挟持することを特徴とするエスカレータの移動手摺りの駆動力測定装置。